(57)【要約】【課題】眼科医どうしをグループ化することにより、眼科医側の利便性を向上させるとともに、患者側にとっても適切な診療を享受できる等の有益性を備えているシステムを得る。【解決手段】複数の眼科医１１ａ，・・，１１ｎを、情報処理端末を介して接続することによりネットワーク化された眼科医グループ１１を備えている。この眼科医グループを構成する眼科医どうしで、患者情報を含む各種医療情報をやり取りすることにより、患者の紹介、患者の症状に合わせた治療の支援を行う。この眼科医グループは、少なくとも一箇所の大規模医療施設である大学病院１２等のコンピュータシステムと通信手段（専用線あるいはインターネット１３）を介して相互に接続され、患者情報を含む各種医療情報のやり取りを行うとともに、患者の紹介、患者の症状に合わせた治療の支援が行われるように構成する。【選択図】        図１
2004246843.tif 000002
【特許請求の範囲】
【請求項１】
複数の眼科医を、情報処理端末を介して接続することによりネットワーク化された眼科医グループを備え、
この眼科医グループを構成する眼科医どうしで、患者情報を含む各種医療情報をやり取りすることにより、患者の紹介、患者の症状に合わせた治療の支援を行うように構成したことを特徴とする眼科医連携システム。
【請求項２】
請求項１記載の眼科医連携システムにおいて、
前記眼科医グループは、少なくとも一箇所の大規模医療施設のコンピュータシステムと通信手段を介して接続され、患者情報を含む各種医療情報のやり取りを行うとともに、患者の紹介、患者の症状に合わせた治療の支援が行われるように構成されていることを特徴とする眼科医連携システム。
【請求項３】
請求項１または請求項２記載の眼科医連携システムにおいて、
前記眼科医グループは、共同で患者の受付、紹介を行う窓口を備え、この窓口に設けられた情報処理端末を介して接続されるように構成され、
この窓口において受け付けた患者の症状に合わせた症例を専門とする眼科医に患者を紹介するように構成されていることを特徴とする眼科医連携システム。
【発明の詳細な説明】
【０００１】
【発明の属する技術分野】
本発明は、複数の眼科医を、それぞれの情報処理端末を介して相互に接続することによりネットワーク化して構成される眼科医連携システムに関する。
【０００２】
【従来の技術】
ホームドクターとして活動している開業医にとって、患者の症状は多岐にわたるため、場合によっては不得意な症状の患者もある。そのような場合、通常は患者を大規模医療施設である大学病院等に紹介するか、あるいは大学病院等の専門家に治療の支援を要請するのが通例である。
【０００３】
そして、近年ではコンピュータやインターネット等の通信技術を利用したネットワークが広く採用されるようになってきており、これを利用して上記の患者の紹介や患者の症状等の患者情報を含む各種情報のやり取りを行うことが一般的になっている。（例えば、特許文献１、特許文献２参照）。
【０００４】
【特許文献１】
特開２００１−３０６６８６号公報
【特許文献２】
特開２００２−１４９８３３号公報
【０００５】
【発明が解決しようとする課題】
しかし、上述した従来から知られている大規模医療施設と開業医との連携あるいは支援システムは、いずれも大学病院等のような大病院とその周辺地域の開業医との間に構築されているだけのものであって、病院側にとっても、患者にとっても完全なものとは言えない。
【０００６】
すなわち、限られた地域での医療スタッフでは、専門家の分野にも限りがあり、患者が最適な治療を受けることが難しい場合もある。特に、開業医どうしの繋がりに乏しく、開業医のなかに専門家がいたとしても、患者の紹介はやはり地域の大病院、あるいは出身大学の系列の大病院等になってしまうといった問題があった。
【０００７】
また、上記の連携あるいは支援システムは、眼科等のように他の科とは若干異質の医療分野では、地域内での開業医の数も少ないことから、適用することが難しいという問題もあった。
【０００８】
本発明はこのような事情に鑑みてなされたものであり、眼科医どうしをグループ化することにより、眼科医側の利便性を向上させるとともに、患者側にとっても適切な診療を享受できる等の有益性を備えている眼科医連携システムを得ることを目的とする。
【０００９】
【課題を解決するための手段】
このような目的に応えるために本発明（請求項１記載の発明）に係る眼科医連携システムは、複数の眼科医を、情報処理端末を介して接続することによりネットワーク化された眼科医グループを備え、この眼科医グループを構成する眼科医どうしで、患者情報を含む各種医療情報をやり取りすることにより、患者の紹介、患者の症状に合わせた治療の支援を行うように構成したことを特徴とする。
【００１０】
本発明（請求項２記載の発明）に係る眼科医連携システムは、請求項１記載の眼科医連携システムを技術的に限定したものであり、前記眼科医グループは、少なくとも一箇所の大規模医療施設のコンピュータシステムと通信手段を介して接続され、患者情報を含む各種医療情報のやり取りを行うとともに、患者の紹介、患者の症状に合わせた治療の支援が行われるように構成されていることを特徴とする。
【００１１】
本発明（請求項３記載の発明）に係る眼科医連携システムは、請求項１または請求項２記載の眼科医連携システムを技術的に限定したものであり、前記眼科医グループは、共同で患者の受付、紹介を行う窓口を備え、この窓口に設けられた情報処理端末を介して接続されるように構成され、この窓口において受け付けた患者の症状に合わせた症例を専門とする眼科医に患者を紹介するように構成されていることを特徴とする。
【００１２】
本発明によれば、眼科医どうしをグループ化することにより、眼科医側の利便性を向上させるとともに、患者側にとっても適切な診療を享受できる等の有益性を備えた眼科医連携システムを得ることができるのである。
【００１３】
また、本発明によれば、該眼科医グループを大学病院等の大規模診療施設に接続することによって、患者の便利に即した眼科医新作が可能となる。また、共同で患者の受付、紹介を行う窓口を、例えばスーパや人手の多い施設等に用いることにより、この窓口に設けられた情報処理端末を介して接続するだけで、窓口において受け付けた患者の症状に合わせた症例を専門とする眼科医に患者を紹介することができる。
【発明の実施の形態】
図１は本発明に係る眼科医連携システムの一実施の形態を示すものである。
同図において、符号１０は眼科医連携システムであり、この眼科医連携システム１０は、複数の眼科医１１ａ，１１ｂ，・・・，１１ｎからなるグループであって、各眼科医どうしが、それぞれの情報処理端末（図示せず）を介して接続することによりネットワーク化されている。そして、このネットワークを介して、眼科医グループ１１を構成する眼科医１１ａ，・・，１１ｎどうしで、患者情報を含む各種医療情報をやり取りすることにより、患者の紹介、患者の症状に合わせた治療の支援が行えるのである。
【００１４】
なお、眼科医１１ａ，１１ｂ，・・，１１ｎの情報処理端末（たとえばパーソナルコンピュータ等）の間を接続する通信手段としては、たとえば専用線があるが、これに限らず、図２に示すようなインターネット１３を介して相互に接続してもよい。
【００１５】
前記眼科医グループ１１は、少なくとも一箇所の大規模医療施設である大学病院１２等のコンピュータシステム（図示せず）と通信手段（専用線またはインターネット１３等）を介して接続され、患者情報を含む各種医療情報のやり取りを行うとともに、患者の紹介、患者の症状に合わせた治療方法等への支援が行われる。
【００１６】
ここで、眼科医グループ１１は、共同で患者の受付、紹介を行う窓口１４を備え、この窓口１４に設けられた情報処理端末（図示せず）を介して接続されるように構成されている。そして、この窓口１４において受け付けた患者の症状に合わせた症例を専門とする眼科医１１ａ，・・，１１ｎに患者を紹介するように構成されている。このような窓口１４は、たとえばスーパやその他人手の多い施設に設けるとよい。
【００１７】
このような構成によれば、複数の眼科医１１ａ，１１ｂ，・・，１１ｎどうしを、地域や出身校による系列の範囲を超えてグループ化することにより、眼科医側の利便性を向上させるとともに、患者側にとっても適切な診療を享受できる等の有益性を備えた眼科医連携システム１０を得ることができるのである。
【００１８】
なお、本発明は上述した実施の形態で説明した構造には限定されず、各部の形状、構造等を適宜変形、変更し得ることはいうまでもない。たとえば上記の実施の形態では、眼科医グループ１１内での通信手段を専用線で構築した場合を例示したが、これに限らず、図２に示すようにインターネット１３を介して相互に接続してもよいことは言うまでもない。
【００１９】
【発明の効果】
以上説明したように本発明に係る眼科医連携システムによれば、複数の眼科医によって眼科医グループを構成し、情報のやり取りを相互に行えるように接続することによって、簡単な構成であるにもかかわらず、眼科医側の利便性を向上させるとともに、患者側にとっても適切な診療を享受できる等の有益性を備えているシステムを得ることができる。
【００２０】
また、本発明によれば、上述した眼科医グループを、少なくとも一箇所の大学病院等の大規模診療施設に接続することによって、患者の紹介が容易に行え、患者情報等のやり取りも簡単で、無駄な診療行為は省略することができるのである。上述した眼科医グループと接続する大学病院等としては、複数の大学病院などの医療機関を接続するようにしてもよい。
【図面の簡単な説明】
【図１】本発明に係る眼科医連携システムの一実施の形態を示す概略構成図である。
【図２】本発明に係る眼科医連携システムの別の実施の形態を示す概略構成図である。
【符号の説明】
１０…眼科医連携システム、１１…眼科医グループ、１１ａ，１１ｂ，・・・，１１ｎ…眼科医、１２…大学病院（大病院等の大規模医療機関）、１３…インターネット、１４…受付、紹介窓口。
【図１】
2004246843.tif 000003
【図２】
2004246843.tif 000004